(57)【要約】  【課題】  画像形成装置の処理能力を十分に活用しながらも、電子記録媒体のレーベル面に印刷された画像の転写を生じさせることなく、前記電子記録媒体を上下に積み重ねて収容できる電子記録媒体収容装置を提供する。  【解決手段】  レーベル面に所定の画像が印刷された電子記録媒体を順次上下方向に積み重ねて収容する電子記録媒体収容装置であって、少なくとも所定の時間、先に収容された電子記録媒体上に新たに収容される電子記録媒体が載置されることを防止する滞留手段としてのストッパー１３と、支持体１４と、制御部１６とを備える。【選択図】  図２
2006264000.tif 000002
【特許請求の範囲】
【請求項１】
レーベル面に所定の画像が印刷された電子記録媒体を順次上下方向に積み重ねて収容する電子記録媒体収容装置であって、少なくとも所定の時間、先に収容された電子記録媒体上に新たに収容される電子記録媒体が載置されることを防止する滞留手段を備える電子記録媒体収容装置。
【請求項２】
順次複数の電子記録媒体のレーベル面に所定の画像を印刷する画像形成手段と、前記画像形成手段により所定の画像が印刷された電子記録媒体を集積する集積部と、前記画像形成手段により所定の画像が印刷された電子記録媒体を前記画像形成手段から前記集積部に搬送する搬送手段とを備えるレーベル面印刷装置の前記集積部に設置され、前記画像形成手段により所定の画像が印刷された電子記録媒体を収容する請求項１に記載の電子記録媒体収容装置。
【請求項３】
前記画像形成手段がインクジェット式プリンタである請求項２に記載の電子記録媒体収容装置。
【請求項４】
前記滞留手段は、前記先に収容された電子記録媒体の上方で、前記新たに収容される電子記録媒体を保持した後、前記新たに収容される電子記録媒体を落下搬送する請求項１から３の何れかに記載の電子記録媒体収容装置。
【請求項５】
前記滞留手段が前記電子記録媒体の落下搬送方向に沿って複数段離間して設けられている請求項４に記載の電子記録媒体収容装置。
【請求項６】
前記滞留手段は、前記新たに収容される電子記録媒体の保持と落下搬送とを複数回に分割して繰り返し実施する請求項５に記載の電子記録媒体収容装置。
【発明の詳細な説明】
【技術分野】
【０００１】
本発明は、レーベル面に所定の画像が印刷された電子記録媒体を順次上下方向に積み重ねて収容する電子記録媒体収容装置に関する。
【背景技術】
【０００２】
従来より、画像データ等の電子データを記録するＣＤ−ＲやＤＶＤ等といった電子記録媒体のレーベル面に、前記電子記録媒体に記録されている内容を画像として、或いは、文字情報として、インクジェット式プリンタ等の画像形成装置により印刷が行なわれている。また、近年、インクジェット式プリンタによる印刷処理速度も向上されている。
【特許文献１】特開２００３−１８１１
【発明の開示】
【発明が解決しようとする課題】
【０００３】
前記ＣＤ−ＲやＤＶＤ等といった電子記録媒体のレーベル面にインクジェット式プリンタにより画像等を印刷する場合、通常の紙等に印刷を行なう場合と異なり、電子記録媒体の表面材質等の特徴から印刷に使用したインクの乾き、つまり印刷された画像の乾きが非常に遅くなる傾向がある。このため、前記印刷処理速度が向上されたインクジェット式プリンタにより、順次複数の電子記録媒体のレーベル面に所定の画像を印刷し、前記画像が印刷された電子記録媒体を集積する場合において、一般的に円形平板となっている前記電子記録媒体の形状から、上下に積み重ねて集積することが無駄なスペースを必要とせず、効率よく集積することができ好都合であるが、前記インクジェット式プリンタによりレーベル面に画像を印刷した電子記録媒体をそのまま順次上下に積み重ねて集積すると、前記画像の印刷に使用したインクの乾きが不完全のまま上下に積み重ねられることとなり、前記電子記録媒体に印刷された画像が他の電子記録媒体に転写され、汚れるばかりか、書き込まれた電子データの読み取り不良が発生することが問題となっていた。
【０００４】
また、前記印刷に使用したインクが十分に乾燥するのを待って、次の電子記録媒体のレーベル面に対して画像の印刷を行なうと、前記インクジェット式プリンタの処理能力を十分に活用できなくなることも問題となっていた。更に、前記画像の転写防止のために前記電子記録媒体を横に並べて集積すると広いスペースを必要とし、集積効率も劣るということが問題となっていた。
【０００５】
本発明の目的は、上述した従来の問題点に鑑み、画像形成装置の処理能力を十分に活用しながらも、電子記録媒体のレーベル面に印刷された画像の転写を生じさせることなく、前記電子記録媒体を上下に積み重ねて収容できる電子記録媒体収容装置を提供する点にある。
【課題を解決するための手段】
【０００６】
上述の目的を達成するため、本発明による電子記録媒体収容装置の第一の特徴構成は、特許請求の範囲の書類の請求項１に記載した通り、レーベル面に所定の画像が印刷された電子記録媒体を順次上下方向に積み重ねて収容する電子記録媒体収容装置であって、少なくとも所定の時間、先に収容された電子記録媒体上に新たに収容される電子記録媒体が載置されることを防止する滞留手段を備える点にある。
【０００７】
上述の構成によれば、滞留手段は、少なくとも所定の時間、先に収容された電子記録媒体上に新たに収容される電子記録媒体が載置されることを防止するため、先に収容された電子記録媒体と新たに収容される電子記録媒体とが接触することにより発生する不都合を防止することが可能な電子記録媒体収容装置とすることができるのである。
【０００８】
同第二の特徴構成は、同請求項２に記載した通り、上述の第一の特徴構成に加えて、順次複数の電子記録媒体のレーベル面に所定の画像を印刷する画像形成手段と、前記画像形成手段により所定の画像が印刷された電子記録媒体を集積する集積部と、前記画像形成手段により所定の画像が印刷された電子記録媒体を前記画像形成手段から前記集積部に搬送する搬送手段とを備えるレーベル面印刷装置の前記集積部に設置され、前記画像形成手段により所定の画像が印刷された電子記録媒体を収容する点にある。
【０００９】
上述の構成によれば、滞留手段は、少なくとも所定の時間、先に収容された電子記録媒体上に新たに収容される電子記録媒体が載置されることを防止するため、この間に先に収容された電子記録媒体のレーベル面に印刷された画像を十分に乾燥させることができるのである。つまり、前記新たに収容される電子記録媒体が搬送手段により集積部に搬送されてきても、先に収容された電子記録媒体のレーベル面に印刷されている所定の画像が、前記新たに収容される電子記録媒体に転写することを防止可能な電子記録媒体収容装置とすることができるのである。
【００１０】
同第三の特徴構成は、同請求項３に記載した通り、上述の第一または第二の特徴構成に加えて、前記画像形成手段がインクジェット式プリンタである点にある。
【００１１】
同第四の特徴構成は、同請求項４に記載した通り、上述の第一から第三の何れかの特徴構成に加えて、前記滞留手段は、前記先に収容された電子記録媒体の上方で、前記新たに収容される電子記録媒体を保持した後、前記新たに収容される電子記録媒体を落下搬送する点にある。
【００１２】
上述の構成によれば、前記滞留手段は、先に収容された電子記録媒体の上方で、前記新たに収容される電子記録媒体を保持するため、前記新たに収容される電子記録媒体を滞留させるための新たなスペースを必要とせずに、確実に少なくとも所定の時間、前記先に収容された電子記録媒体上に、前記新たに収容される電子記録媒体が載置されることを防止でき、この間に確実に先に収容された電子記録媒体のレーベル面に印刷された画像を十分に乾燥させることができるのである。つまり、前記新たに収容される電子記録媒体が搬送手段により集積部に搬送されてきても、新たなスペースを必要とせずに、先に収容された電子記録媒体のレーベル面に印刷されている所定の画像が、前記新たな電子記録媒体に転写されることを防止可能な電子記録媒体収容装置とすることができるのである。また、前記新たに収容される電子記録媒体を落下搬送するため、効率よく電子記録媒体を上下方向に積み重ねて収容可能な電子記録媒体収容装置とすることができるのである。
【００１３】
同第五の特徴構成は、同請求項５に記載した通り、上述の第四の特徴構成に加えて、前記滞留手段が前記電子記録媒体の落下搬送方向に沿って複数段離間して設けられている点にある。
【００１４】
上述の構成によれば、滞留手段が電子記録媒体の落下搬送方向に沿って複数段離間して設けられているため、前記電子記録媒体の滞留スペースを広げることなく、複数の電子記録媒体を互いに接触させずに同時に保持することが可能な電子記録媒体収容装置とすることができるのである。
【００１５】
同第六の特徴構成は、同請求項６に記載した通り、上述の第五の特徴構成に加えて、前記滞留手段は、前記新たに収容される電子記録媒体の保持と落下搬送とを複数回に分割して繰り返し実施する点にある。
【００１６】
上述の構成によれば、前記滞留手段は、前記新たに収容される電子記録媒体の保持と落下搬送とを複数回に分割して繰り返し実施するため、前記新たに収容される電子記録媒体の滞留スペースを広げることなく、画像形成装置としての前記画像形成手段による各電子記録媒体のレーベル面への所定の画像の印刷タクトよりも長く、前記新たに収容される電子記録媒体の滞留時間を確保することができ、この間に確実に先に収容された電子記録媒体のレーベル面に印刷された画像を十分に乾燥させることができるのである。つまり、前記画像形成装置の処理能力を十分に活用しながらも、前記電子記録媒体のレーベル面に印刷された所定の画像の転写を生じさせることなく、前記電子記録媒体を上下に積み重ねて収容可能な電子記録媒体収容装置とすることができるのである。
【発明の効果】
【００１７】
以上説明した通り、本発明によれば、画像形成装置の処理能力を十分に活用しながらも、電子記録媒体のレーベル面に印刷された画像の転写を生じさせることなく、前記電子記録媒体を上下に積み重ねて収容できる電子記録媒体収容装置を提供することができるようになった。
【発明を実施するための最良の形態】
【００１８】
以下に本発明による電子記録媒体収容装置を電子記録媒体としてのＣＤ−Ｒに電子データを書き込み、かつ、前記ＣＤ−Ｒのレーベル面に所定の画像を印刷するＣＤ−Ｒ書き込み印刷装置へ適用した第一の実施形態について説明する。前記ＣＤ−Ｒ書き込み印刷装置０１は、図１に示すように、ブランクディスクとしてのＣＤ−Ｒ１０を上下方向に積み重ねて設置するブランクディスク設置部０２と、順次、前記ブランクディスクとしてのＣＤ−Ｒ１０の記録面に電子データを書き込む書き込み手段０３と、前記書き込み手段０３により電子データが書き込まれたＣＤ−Ｒ１０のレーベル面に所定の画像を印刷する画像形成装置としての画像形成手段０４と、前記画像形成手段０４により所定の画像が印刷されたＣＤ−Ｒ１０を集積する集積部０５と、前記ＣＤ−Ｒを所定の位置に搬送する搬送手段０６とを備えて構成されている。
【００１９】
前記画像形成手段０４は、インクジェット式プリンタであり、プリントヘッド（不図示）から前記書き込み手段０３により電子データが書き込まれたＣＤ−Ｒ１０のレーベル面にインクを吐出することにより、所定の画像を印刷するように構成されている。
【００２０】
前記搬送手段０６は、前記ブランクディスクとしてのＣＤ―Ｒ１０を前記ブランクディスク設置部０２から前記書き込み手段０３へ搬送し、また、前記電子データが書き込まれたＣＤ−Ｒ１０を前記書き込み手段０３から前記画像形成手段０４へ搬送し、更に、前記所定の画像が印刷されたＣＤ−Ｒ１０を前記画像形成手段０４から前記集積部０５に搬送するもので、前記ＣＤ―Ｒ１０の中央部の穴を利用して前記ＣＤ−Ｒを保持するアーム部０７と、前記アーム部０７を上下にスライド或いは水平方向に回転させるアーム支持部０８とを備えて構成されている。
【００２１】
つまり、前記搬送手段０６は、前記ブランクディスク設置部０２に上下方向に積み重ねて設置されているブランクディスクとしてのＣＤ−Ｒ１０に対して、一番上に積み重ねられているブランクディスクとしてのＣＤ−Ｒ１０を前記アーム部０７により保持し、前記アーム支持部０８により前記ブランクディスクとしてのＣＤ−Ｒ１０を保持した前記アーム部０７を上方にスライドさせる。また、前記アーム部０７が上方にスライドされた後に前記書き込み部０３のＣＤ−Ｒ挿入口０９より送出される書き込みトレイ（不図示）に前記ブランクディスクとしてのＣＤ−Ｒ１０を載置することで、前記ブランクディスクとしてのＣＤ―Ｒ１０を前記ブランクディスク設置部０２から前記書き込み手段０３へ搬送するように構成されている。尚、前記書き込みトレイは、前記ブランクディスクとしてのＣＤ―Ｒ１０が載置された後、前記ブランクディスクとしてのＣＤ―Ｒ１０とともに、前記ＣＤ−Ｒ挿入口０９へ挿入される。
【００２２】
また、前記搬送手段０６は、前記書き込み部０３によって電子データが書き込まれたＣＤ−Ｒ１０が、前記書き込みトレイとともに前記ＣＤ−Ｒ挿入口０９から送出されると、前記アーム部０７により前記書き込みトレイとともに前記ＣＤ−Ｒ挿入口０９から送出されたＣＤ−Ｒ１０を保持し、前記アーム支持部０８により前記送出されたＣＤ−Ｒ１０を保持した前記アーム部０７を上方にスライドさせる。また、前記アーム部０７が上方にスライドされた後に前記画像形成手段０４のＣＤ−Ｒ挿入口１１より送出される画像形成トレイ（不図示）に前記ＣＤ−Ｒ１０を載置することで、前記電子データが書き込まれたＣＤ−Ｒ１０を前記書き込み手段０３から前記画像形成手段０４へ搬送するように構成されている。
【００２３】
更に、前記搬送手段０６は、前記画像形成手段０４によって所定の画像が印刷されたＣＤ−Ｒ１０が、前記画像形成トレイとともに前記ＣＤ−Ｒ挿入口１１から送出されると、前記アーム部０７により前記画像形成トレイとともに前記ＣＤ−Ｒ挿入口１１から送出されたＣＤ−Ｒ１０を保持し、前記アーム支持部０８により前記送出されたＣＤ−Ｒ１０を保持した前記アーム部０７を上方にスライドさせる。また、前記アーム部０７が前記集積部０５の上方となるように水平回転させ、前記集積部０５上から前記ＣＤ−Ｒ１０を落下搬送することで、前記所定の画像が印刷されたＣＤ−Ｒ１０を前記画像形成手段０４から前記集積部０５に搬送するように構成されている。
【００２４】
前記集積部０５には、前記搬送手段０６により前記集積部０５に搬送されたＣＤ−Ｒ１０を収容するための本発明である電子記録媒体収容装置３０が設置されている。
【００２５】
前記電子記録媒体収容装置３０は、例えば、図２（ａ）、図２（ｂ）に示すように、前記ＣＤ−Ｒ１０を所定の位置に上下に積み重ねて収容するためのガイドピン１２と、先に収容されたＣＤ−Ｒ１０の上方で新たに収容されるＣＤ−Ｒ１０を保持するストッパー１３と、前記ストッパー１３を突出させ或いは格納する支持体１４と、前記ストッパー１３を通過するＣＤ−Ｒ１０を検出する赤外線センサ１５と、当該電子記録媒体収容装置３０を制御する制御部１６とを備えて構成されている。尚、前記ストッパー１３と、前記支持体１４と、前記制御部１６とにより滞留手段としての主要部を構成している。
【００２６】
前記ストッパー１３は、前記支持体１４から突出することで、前記搬送部０６により前記画像形成手段０４から搬送されてきたＣＤ−Ｒ１０を当該ストッパー１３により保持するように、また、前記支持体１４に格納されることで、前記搬送部０６により前記画像形成手段０４から搬送されてきたＣＤ−Ｒ１０或いは当該ストッパー１３により保持していたＣＤ−Ｒ１０を、図３に示すように、当該ストッパー１３より下方へ、前記ガイドピン１２或いは前記支持体１４に従って落下搬送し、当該電子記録媒体収容装置３０に前記ＣＤ−Ｒ１０を収容するように構成されている。
【００２７】
前記赤外線センサ１５は、前記ストッパー１３を通過したＣＤ−Ｒを検出するもので、前記支持体１４における前記ストッパー１３の直下に構成されている。
【００２８】
前記制御部１６は、各機能ブロックを制御するＣＰＵと、ＣＰＵの実行プログラムを格納するメモリなどを備えて構成されている。
【００２９】
前記制御部１６における機能ブロック構成は、図４に示すように、落下搬送されることで前記赤外線センサ１５を通過した前記ＣＤ−Ｒ１０を、前記ストッパー１３を通過し当該電子記録媒体収容装置３０に収容されたＣＤ−Ｒ１０として検出する検出部１７と、前記ＣＤ−Ｒ１０が前記赤外線センサ１５を通過してからの時間Ｔをカウントするカウント部１８と、前記カウント部１８によりカウントされた値Ｔつまり時間Ｔに基づいて、前記ストッパー１３を制御するストッパーコントローラ１９とを備えて構成されている。
【００３０】
以下、前記電子記録媒体収容装置３０の動作について、図５に示すフローチャートに基づいて説明する。前記電子記録媒体収容装置３０に電源が投入されると、前記ストッパーコントローラ１９は、前記ストッパー１３を前記支持体１４に格納する（ＳＡ１）。
【００３１】
前記ＣＤ−Ｒ１０が前記搬送部０６により集積部０５に搬送され、つまり、前記ＣＤ−Ｒ１０が当該電子記録媒体収容装置３０に落下搬送され、前記ＣＤ−Ｒ１０が前記赤外線センサ１５を通過することで、前記赤外線センサ１５を介して前記検出部１７が、前記ＣＤ−Ｒ１０が当該電子記録媒体収容装置３０に収容されたものとして検出すると（ＳＡ２）、前記ストッパーコントローラ１９は、前記ストッパー１３を前記支持体１４から突出させる（ＳＡ３）。また、前記カウント部１８は、前記カウント値Ｔをリセットした後（ＳＡ４）、前記カウント値Ｔのカウントを開始する（ＳＡ５）。
【００３２】
前記ストッパーコントラーラ１９は、前記カウント値Ｔが所定の値Ｔｔｈになると（ＳＡ６）、前記ストッパー１３を前記支持体１４に格納する（ＳＡ７）。
【００３３】
つまり、前記ストッパーコントローラ１９は、前記ＣＤ−Ｒ１０が前記ストッパー１３を通過した後、つまり、前記ＣＤ−Ｒ１０が前記ストッパー１３から落下搬送され当該電子記録媒体収容装置３０に収容された後、所定の時間だけ、前記ストッパー１３を前記支持体１４から突出させることで、当該電子記録媒体収容装置３０に新たに収容されるＣＤ−Ｒ１０が前記搬送手段０６により搬送されてきても、前記新たに収容されるＣＤ−Ｒ１０を前記ストッパー１３により保持することで、少なくとも所定の時間、前記ストッパー１３を通過したＣＤ−Ｒ１０上に、つまり、当該電子記録媒体収容部３０に先に収容されたＣＤ−Ｒ１０上に、前記新たに収容されるＣＤ−Ｒ１０が載置されることを防止するように構成されている。つまり、この間に、前記先に収容されたＣＤ−Ｒ１０のレーベル面に印刷された所定の画像を十分に乾燥させ、その後、先に収容されたＣＤ−Ｒ１０上に、前記新たに収容されるＣＤ−Ｒ１０を載置することで、つまり、上下方向に積み重ねて収容することで、先に収容されたＣＤ―Ｒ１０のレーベル面に印刷されている所定の画像が、前記新たに収容されるＣＤ−Ｒ１０に転写されることがないように構成されている。また、前記滞留手段としての主要部は、前記新たに収容されるＣＤ−Ｒ１０を落下搬送するため、効率よく前記ＣＤ−Ｒ１０を上下方向に積み重ねて収容することができるように構成されている。
【００３４】
以下、別の実施形態について説明する。上述では、前記滞留手段３０は、前記ＣＤ−Ｒ１０が前記ストッパー１３を通過するために、前記ストッパー１３が前記支持体１４に格納されるように制御される場合について説明したが、ＣＤ−Ｒ１０の自重で前記ストッパー１３が前記支持体１４に格納される状態になるように制御される構成としてもよい。また、前記ストッパー１３は、前記支持体１４に完全に格納される必要はなく、前記ＣＤ−Ｒ１０が前記ストッパー１３を少なくとも通過可能な程度に格納される構成となっていればよい。
【００３５】
また、図６に示すように、前記ストッパー１３が前記ガイドピン１２に備えられている構成としてもよい。この場合、前記ＣＤ−Ｒ１０が前記ストッパー１３を通過するために、当該滞留手段３０は、前記ストッパー１３が前記支持体１４に格納されるように制御される構成としてもよいし、図７に示すように、前記ガイドピン１２が水平方向に回転制御されることで、前記ＣＤ−Ｒ１０が前記ストッパー１３を通過する構成としてもよい。
【００３６】
更に、前記ストッパー１３が前記支持体１４、或いは、ガイドピン１２に、複数段備えられている構成としてもよい。以下、前記ストッパー１３が前記支持体１４に複数段、例えば、図８に示すように、上段から第一のストッパー１３ａ、第二のストッパー１３ｂ、第三のストッパー１３ｃといった三段のストッパーが備えられた電子記録媒体収容装置２０としての第二の実施形態について説明する。尚、電子記録媒体収容装置２０は、電子記録媒体収容装置３０の制御部１６に代えて、制御部２１を備えて構成されている。
【００３７】
前記制御部２１の機能ブロック構成は、図９に示すように、落下搬送されることで前記赤外線センサ１５を通過したＣＤ−Ｒ１０を、前記ストッパー１３ａ、１３ｂ、１３ｃを通過したＣＤ−Ｒ１０として、つまり、当該電子記録媒体収容装置２０に収容されたＣＤ−Ｒ１０として検出する検出部２２と、前記ＣＤ−Ｒ１０が前記赤外線センサ１５を通過した時間を基準として、前記第一のストッパー１３ａの制御タイミングを計るために第一の時間Ｌをカウントする第一のカウント部２３と、同じく、前記ＣＤ−Ｒ１０が前記赤外線センサ１５を通過した時間を基準として、前記第二のストッパー１３ｂの制御タイミングを計るために第二の時間Ｍをカウントする第二のカウント部２４と、同じく、前記ＣＤ−Ｒ１０が前記赤外線センサ１５を通過した時間を基準として、前記第三のストッパー１３ｃの制御タイミングを計るために第三の時間Ｎをカウントする第三のカウント部２５と、前記第一のカウント部２３によりカウントされた第一のカウント値Ｌつまり前記第一の時間Ｌに基づいて前記ストッパー１３ａを制御し、前記第二のカウント部２４によりカウントされた第二のカウント値Ｍつまり前記第二の時間Ｍに基づいて前記ストッパー１３ｂを制御し、前記第三のカウント部２５によりカウントされた第三のカウント値Ｎつまり前記第三の時間Ｎに基づいて前記ストッパー１３ｃを制御するストッパーコントローラ２６とを備えて構成されている。
【００３８】
尚、前記第一のカウント部２３は、前記第一のカウント値Ｌが後述する第一の所定の値Ｌｔｈ１になったとき、前記第二のカウント部２４がカウントを開始するための第一のフラッグＦＬ１をセットするように構成されている。また、前記第二のカウント部２４は、前記第二のカウント値Ｍが後述する第二の所定の値Ｍｔｈ１になったとき、前記第三のカウント部２５がカウントを開始するための第二のフラッグＦＬ２をセットするように構成されている。
【００３９】
以下、前記電子記録媒体収容装置２０の動作について、図１０、図１１に示すフローチャートに基づいて説明する。前記電子記録媒体収容装置２０に電源が投入されると、前記ストッパーコントローラ２６は、前記第一のストッパー１３ａ、第二のストッパー１３ｂ、第三のストッパー１３ｃを夫々前記支持体１４に格納する（ＳＢ１）。
【００４０】
前記ＣＤ−Ｒ１０が落下搬送されることで前記赤外線センサ１５を通過し、前記検出部１７が、前記ＣＤ−Ｒ１０が前記第一のストッパー１３ａ、第二のストッパー１３ｂ、第三のストッパー１３ｃを夫々通過したとして、つまり、当該電子記録媒体収容装置２０に収容されたＣＤ−Ｒ１０として検出すると（ＳＢ２）、前記ストッパーコントローラ２６は、前記第一のストッパー１３ａ、第二のストッパー１３ｂ、第三のストッパー１３ｃを夫々前記支持体１４から突出させる（ＳＢ３）。
【００４１】
前記第一のカウント部２３は、前記第一のカウント値Ｌを、前記第二のカウント部２４は、前記第二のカウント値Ｍを、前記第三のカウント部２５は、前記第三のカウント値Ｎを、夫々０にリセットし（ＳＢ４）、前記第一のカウント部２３は、前記第一のフラッグＦＬ１を、前記第二のカウント部２４は、前記第二のフラッグＦＬ２を、夫々リセットする（ＳＢ５）。
【００４２】
前記第一のカウント部２３は、前記第一のカウント値Ｌを０にリセットし、前記第一のフラッグＦＬ１をリセットすると、前記第一のカウント値Ｌのカウントを開始する（ＳＢ６）。
【００４３】
前記ストッパーコントラーラ２６は、前記第一のカウント値Ｌが前記第一の所定の値Ｌｔｈ１になると（ＳＢ７）、前記第一のストッパー１３ａを前記支持体１４に格納する（ＳＢ８）。また、前記第一のカウント部２３は、前記第一のフラッグＦＬ１をセットする（ＳＢ９）。
【００４４】
前記第二のカウント部２４は、前記第一のフラッグＦＬ１がセットされているときに（ＳＢ１０）、前記第二のカウント値をカウントする（ＳＢ１１）。
【００４５】
前記ストッパーコントラーラ２６は、前記第二のカウント値Ｍが第二の所定の値Ｍｔｈ１になると（ＳＢ１２）、前記第二のストッパー１３ｂを前記支持体１４に格納する（ＳＢ１３）。また、前記第二のカウント部２４は、前記第二のフラッグＦＬ２をセットする（ＳＢ１４）。
【００４６】
前記第二のカウント部２４は、前記第二のフラッグＦＬ２がセットされているときに（ＳＢ１５）、前記第三のカウント値Ｎをカウントする（ＳＢ１６）。
【００４７】
前記ストッパーコントラーラ２６は、前記第三のカウント値Ｎが第三の所定の値Ｎｔｈ１になると（ＳＢ１７）、前記第三のストッパー１３ｃを前記支持体１４に格納する（ＳＢ１８）。
【００４８】
前記ストッパーコントラーラ２６は、前記第一のカウント値Ｌが第四の所定の値Ｌｔｈ２になると（ＳＢ１９）、前記第一のストッパー１３ａを前記支持体１４から突出させ（ＳＢ２０）、前記第一のカウント部２３は、前記第一のカウント値Ｌを０にリセットする（ＳＢ２１）。また、前記ストッパーコントラーラ２６は、前記第二のカウント値Ｍが第五の所定の値Ｍｔｈ２になると（ＳＢ２２）、前記第二のストッパー１３ｂを前記支持体１４から突出させ（ＳＢ２３）、前記第二のカウント部２４は、前記第二のカウント値Ｍを０にリセットする（ＳＢ２４）。更に、前記ストッパーコントラーラ２６は、前記第三のカウント値Ｎが第六の所定の値Ｎｔｈ２になると（ＳＢ２５）、前記第三のストッパー１３ｃを前記支持体１４から突出させ（ＳＢ２６）、前記第三のカウント部２５は、前記第三のカウント値Ｎを０にリセットする（ＳＢ２７）。
【００４９】
尚、前記第一の所定の時間Ｌｔｈ１、前記第二の所定の時間Ｍｔｈ１、第三の所定の時間Ｎｔｈ１、第四の所定の時間Ｌｔｈ２、第五の所定の時間Ｍｔｈ２、第六の所定の時間Ｎｔｈ２の夫々の関係は、〔数１〕に示す関係となっていることが好ましい。更には、〔数２〕に示す関係となっていることが好ましい。
【００５０】
【数１】
2006264000.tif 000003
【００５１】
【数２】
2006264000.tif 000004
【００５２】
つまり、前記電子記録媒体収容装置２０に電源が投入され後に、最初に前記搬送手段０６により搬送されてくる第一のＣＤ―Ｒ１０ａは、図１２（ａ）に示すように、前記第一のストッパー１３ａ、前記第二のストッパー１３ｂ、前記第三のストッパー１３ｃの夫々が前記支持体１４に格納されているため、落下搬送されながら、前記第一のストッパー１３ａ、前記第二のストッパー１３ｂ、前記第三のストッパー１３ｃを夫々そのまま通過することで、前記集積部０５に設置されている当該電子記録媒体収容装置２０の最上層に収容されているＣＤ−Ｒとして収容される。
【００５３】
前記第一のＣＤ−Ｒ１０ａは、前記第一のＣＤ−Ｒ１０ａが当該電子記録媒体収容装置２０に収容された後に、前記第一のストッパー１３ａが前記支持体１４から突出することで、その後に、第二のＣＤ−Ｒ１０ｂが前記搬送手段０６により搬送されてきても、図１２（ｂ）に示すように、前記第二のＣＤ−Ｒ１０ｂが前記第一のストッパー１３ａによって保持されるため、前記第二のＣＤ−Ｒ１０ｂが前記第一のＣＤ−Ｒ１０ａの上に、少なくとも前記第一の所定の時間Ｌｔｈだけ、載置されないように防止されている。
【００５４】
前記第二のＣＤ−Ｒ１０ｂは、前記第一のストッパー１３ａが前記支持体１４から突出してから前記第一の所定の時間Ｌｔｈ１経過した後に、前記第一のストッパー１３ａが前記支持体１４に格納されることで、図１２（ｃ）に示すように、落下搬送され、前記支持体１４から突出している前記第二のストッパー１３ｂによって保持される。つまり、前記第一のＣＤ−Ｒ１０ａは、前記第二のＣＤ−Ｒ１０ｂが前記第二のストッパー１３ｂによって保持されるため、前記第二のＣＤ−Ｒ１０ｂが前記第一のＣＤ−Ｒ１０ａの上に、前記第一の所定の時間Ｌｔｈ１に少なくとも前記第二の所定の時間Ｍｔｈ１を加えた時間だけ、載置されないように防止されている。
【００５５】
前記第二のＣＤ−Ｒ１０ｂは、前記第二のストッパー１３ｂによって保持された後に、つまり、前回に前記第一のストッパー１３ａが前記支持体１４から突出してから前記第四の所定の時間Ｌｔｈ２経過後に、前記第一のストッパー１３ａが再び前記支持体１４から突出することで、その後に、第三のＣＤ−Ｒ１０ｃが前記搬送手段０６により搬送されてきても、図１２（ｄ）に示すように、前記第三のＣＤ−Ｒ１０ｃが前記第一のストッパー１３ａによって保持されるため、前記第三のＣＤ−Ｒ１０ｃが前記第二のＣＤ−Ｒ１０ｂの上に、少なくとも前記第一の所定の時間Ｌｔｈ１だけ、載置されないように防止されている。
【００５６】
前記第二のＣＤ−Ｒ１０ｂは、前記第一のストッパー１３ａが前記支持体１４に格納されてから前記第二の所定の時間Ｍｔｈ１経過した後に、前記第二のストッパー１３ｂが前記支持体１４に格納されることで、図１２（ｅ）に示すように、落下搬送され、前記支持体１４から突出している前記第三のストッパー１３ｃによって保持される。つまり、前記第一のＣＤ−Ｒ１０ａは、前記第二のＣＤ−Ｒ１０ｂが前記第三のストッパー１３ｃによって保持されるため、前記第二のＣＤ−Ｒ１０ｂが前記第一のＣＤ−Ｒ１０ａの上に、前記第一の所定の時間Ｌｔｈ１及び前記第二の所定の時間Ｍｔｈ１に少なくとも前記第三の所定の時間Ｎｔｈ１を加えた時間だけ、載置されないように防止されている。
【００５７】
前記第三のＣＤ−Ｒ１０ｃは、前記第一のストッパー１３ａが前記支持体１４から突出してから前記第一の所定の時間Ｌｔｈ１経過した後に、前記第一のストッパー１３ａが前記支持体１４に格納されることで、図１２（ｆ）に示すように、落下搬送され、前記支持体１４から突出している前記第二のストッパー１３ｂによって保持される。つまり、前記第二のＣＤ−Ｒ１０ｂは、前回に前記第一のストッパー１３ａが前記支持体１４に格納されてから前記第五の所定の時間Ｍｔｈ２経過後に、前記第二のストッパー１３ｂが前記支持体１４から突出することで、前記第三のＣＤ−Ｒ１０ｃが前記第二のストッパー１３ｂによって保持されるため、前記第三のＣＤ−Ｒ１０ｃが前記第二のＣＤ−Ｒ１０ｂの上に、前記第一の所定の時間Ｌｔｈ１に少なくとも前記第二の所定の時間Ｍｔｈ１を加えた時間だけ、載置されないように防止されている。
【００５８】
前記第三のＣＤ−Ｒ１０ｃは、前記第二のストッパー１３ｂによって保持された後に、つまり、前回に前記第一のストッパー１３ａが前記支持体１４から突出してから前記第一の所定の時間Ｌｔｈ１経過後に、前記第一のストッパー１３ａが再び前記支持体１４から突出することで、その後に、第四のＣＤ−Ｒ１０ｄが前記搬送手段０６により搬送されてきても、図１２（ｇ）に示すように、前記第四のＣＤ−Ｒ１０ｄが前記第一のストッパー１３ａによって保持されるため、前記第四のＣＤ−Ｒ１０ｄが前記第三のＣＤ−Ｒ１０ｃの上に、少なくとも前記第一の所定の時間Ｌｔｈだけ、載置されないように防止されている。
【００５９】
前記第二のＣＤ−Ｒ１０ｂは、前記第二のストッパー１３ａが前記支持体１４に格納されてから前記第三の所定の時間Ｎｔｈ１経過した後に、前記第三のストッパー１３ｃが前記支持体１４に格納されることで、図１２（ｈ）に示すように、落下搬送され、当該電子記録媒体収容装置２０に最上層として収容されている前記第一のＣＤ−Ｒ１０ａの上に載置された状態で収容される。つまり、上下方向に積み重ねて収容される。
【００６０】
前記支持体１４に格納された前記第三のストッパー１３ｃは、前回に前記第二のストッパー１３ｂが前記支持体１４に格納されてから前記第六の所定の時間Ｎｔｈ２経過後に、前記支持体１４から突出される。
【００６１】
以降、前記搬送手段０６によって順次搬送されてくるＣＤ−Ｒに対して同様の動作を繰り返す。尚、以降の前記第二の所定の時間Ｍｔｈ１及び前記第五の所定の時間Ｍｔｈ２のカウント開始時間は、前記第二のストッパー１３ｂが突出した後であり、前記第三の所定の時間Ｎｔｈ１及び前記第六の所定の時間Ｎｔｈ２のカウント開始時間は、前記第三のストッパー１３ｃが突出した後である。
【００６２】
要するに、前記搬送部０６により先に搬送されてくることで先に収容されたＣＤ−Ｒ１０は、その後に前記搬送部０６により搬送されてくることで新たに収容されるＣＤ−Ｒ１０が、前記先に収容されたＣＤ−Ｒ１０の上に載置されるのを、前記第一のストッパー１３ａが少なくとも前記第一の所定時間Ｌｔｈ１の間、また、前記第二のストッパー１３ｂが少なくとも前記第二の所定時間Ｍｔｈ１の間、更に、前記第三のストッパー１３ｃが少なくとも前記第三の所定時間Ｎｔｈ１の間、順次防止する。よって、前記搬送部０６により先に搬送されてくることで先に収容されたＣＤ−Ｒ１０は、その後に前記搬送部０６により搬送されてくることで新たに収容されるＣＤ−Ｒ１０が、前記先に収容されたＣＤ−Ｒ１０の上に載置されるのを、少なくともＬｔｈ１＋Ｍｔｈ１＋Ｎｔｈ１の間防止する。
【００６３】
上述のように、前記ストッパー１３を複数段設置することにより、前記画像形成手段０４の印刷処理速度としての処理能力を向上させても、電子記録媒体のレーベル面に印刷された画像、つまり、インクを十分に乾燥させるだけの時間を確保することができ、前記画像の乾燥が不十分であることにより発生する前記画像の転写を防止することが可能となるのである。換言すると、前記ストッパー１３を複数段設置することにより、前記画像形成手段０４の処理能力を十分に活用しながらも、電子記録媒体のレーベル面に印刷された画像の転写を生じさせることなく、前記電子記録媒体を上下に積み重ねて収容可能な電子記録媒体収容装置となるのである。
【００６４】
上述では、第一のＣＤ−Ｒ１０ａが前記赤外線センサ１５を介して前記検出部２２により検出されることにより、前記制御部２１は所定の制御を開始した場合について説明したが、前記搬送手段０６の動作、或いは、前記画像形成手段０４の動作に基づいて、前記所定の動作を開始する構成としてもよい。前記ＣＤ−Ｒ書き込み印刷装置０１の電源投入後の最初に、例えば、前記搬送手段０６が前記アーム部０７を前記集積部０５上まで回転制御を行なったタイミング、或いは、前記画像形成手段０４が前記ＣＤ−Ｒ１０のレーベル面に印刷を終了させてから前記画像形成トレイを送出したタイミング等に基づいて、前記所定の動作を開始する構成としてもよい。
【００６５】
尚、上述した実施形態は、本発明の一例に過ぎず、本発明の作用効果を奏する範囲において各ブロックの具体的構成等を適宜変更設計できることは言うまでもない。
【図面の簡単な説明】
【００６６】
【図１】ＣＤ−Ｒ書き込み印刷装置の概略構成の説明図
【図２】第一の実施形態における電子記録媒体収容装置の概略構成であり、ストッパーが支持体から突出された状態の説明図であり、（ａ）は正面図、（ｂ）は上面図
【図３】第一の実施形態における電子記録媒体収容装置の概略構成であり、ストッパーが支持体に格納された状態の説明図
【図４】第一の実施形態における制御部の機能ブロック構成の説明図
【図５】第一の実施形態における電子記録媒体収容装置の動作を説明するためのフローチャート
【図６】別の実施形態における電子記録媒体収容装置の概略構成であり、ストッパーがＣＤ−Ｒの収容方向に突出した状態の説明図
【図７】別の実施形態における電子記録媒体収容装置の概略構成であり、ストッパーがＣＤ−Ｒの収容方向から水平方向に外側に回転した状態の説明図
【図８】第二の実施形態における電子記録媒体収容装置の概略構成の説明図
【図９】第二の実施形態における制御部の機能ブロック構成の説明図
【図１０】第二の実施形態における電子記録媒体収容装置の動作を説明するためのフローチャート
【図１１】第二の実施形態における電子記録媒体収容装置の動作を説明するためのフローチャート
【図１２】第二の実施形態における電子記録媒体収容装置の動作時における前記電子記録媒体収容装置の概略構成の説明図であり、（ａ）は全てのストッパーが支持体に格納され第一のＣＤ−Ｒが収容された状態、（ｂ）は全てのストッパーが支持体から突出し第一のストッパーに第二のＣＤ−Ｒが保持された状態、（ｃ）は第一のストッパーが支持体に格納され第二のストッパーに第二のＣＤ−Ｒが保持された状態、（ｄ）は第二のストッパーに第二のＣＤ−Ｒが保持されたままの状態で第一のストッパーが支持体から突出し、前記第一のストッパーに第三のＣＤ−Ｒが保持された状態、（ｅ）は第二のストッパーが支持体に格納され第二のＣＤ−Ｒが第三のストッパーに保持された状態、かつ、第三のＣＤ−Ｒが第一のストッパーに保持されたままの状態、（ｆ）は第一のストッパーが支持体に格納され第三のＣＤ−Ｒが第二のストッパーに保持された状態、かつ、第二のＣＤ−Ｒが第三のストッパーに保持されたままの状態、（ｇ）は第二のストッパーに第三のＣＤ−Ｒが保持されたままの状態、かつ、第三のストッパーに第二のＣＤ−Ｒが保持されたままの状態で、第一のストッパーが支持体から突出し前記第一のストッパーに第四のＣＤ−Ｒが保持された状態、（ｈ）は第三のストッパーが支持体に格納され第二のＣＤ−Ｒが収容された状態、かつ、第三のＣＤ−Ｒが第二のストッパーに保持されたままの状態、かつ、第四のＣＤ−Ｒが第一のストッパーに保持されたままの状態
【符号の説明】
【００６７】
０１：ＣＤ−Ｒ書き込み印刷装置
０２：ブランクディスク設置部
０３：書き込み手段
０４：画像形成手段
０５：集積部
０６：搬送手段
１０：ＣＤ−Ｒ
１２：ガイドピン
１３：ストッパー
１４：支持体
１５：赤外線センサ
１６、２１：制御部
２０、３０：電子記録媒体収容装置
【図１】
2006264000.tif 000005
【図２】
2006264000.tif 000006
【図３】
2006264000.tif 000007
【図４】
2006264000.tif 000008
【図５】
2006264000.tif 000009
【図６】
2006264000.tif 000010
【図７】
2006264000.tif 000011
【図８】
2006264000.tif 000012
【図９】
2006264000.tif 000013
【図１０】
2006264000.tif 000014
【図１１】
2006264000.tif 000015
【図１２】
2006264000.tif 000016